(57)【要約】【課題】電線をテープ巻等の結束材を使用せずに束ねることが可能であり、クランプ等の他の部材なしに車両等への取り付けが可能である絶縁電線及びワイヤーハーネスを提供する。【解決手段】絶縁体３が、最大エネルギー積〔（ＢＨ）ｍａｘ〕が２ｋＪ／ｍ３以上の永久磁石からなり、磁石化した強磁性絶縁電線１１を用いて、該強磁性体絶縁電線１１自身の磁力により、複数本の強磁性絶縁電線１１を束ねてワイヤーハーネス１０を構成した。【選択図】図９
2012234638.tif 000002
【特許請求の範囲】
【請求項１】
少なくとも絶縁体が強磁性体からなることを特徴とする強磁性絶縁電線。
【請求項２】
前記強磁性体が、比透磁率（μｒ）が２以上の高透磁率材料を用いたことを特徴とする請求項１記載の強磁性絶縁電線。
【請求項３】
前記強磁性体が、最大エネルギー積〔（ＢＨ）ｍａｘ〕が２ｋＪ／ｍ３以上の永久磁石を用いたことを特徴とする請求項１記載の強磁性絶縁電線。
【請求項４】
前記絶縁体が、樹脂又はゴムからなるバインダー中に強磁性体の粉末が分散されているものであることを特徴とする請求項１〜３のいずれか１項に記載の強磁性絶縁電線。
【請求項５】
少なくとも絶縁体が、最大エネルギー積〔（ＢＨ）ｍａｘ〕が２ｋＪ／ｍ３以上の永久磁石からなる強磁性絶縁電線を用いて、複数本の強磁性絶縁電線が束ねられているものであることを特徴とするワイヤーハーネス。
【請求項６】
少なくとも絶縁体が比透磁率（μｒ）が２以上の高透磁率材料からなる強磁性絶縁電線を、前記少なくとも絶縁体が最大エネルギー積〔（ＢＨ）ｍａｘ〕が２ｋＪ／ｍ３以上の永久磁石からなる強磁性絶縁電線と組み合わせて、複数本の強磁性絶縁電線が束ねられているものであることを特徴とする請求項５記載のワイヤーハーネス。
【発明の詳細な説明】
【技術分野】
【０００１】
本発明は、強磁性絶縁電線及びワイヤーハーネスに関するものである。
【背景技術】
【０００２】
従来、自動車等の車両に用いられるワイヤーハーネス１００は、図１０に示すように、複数の電線１０１を組み合わせて、電線１０１を束ねて構成されている。このワイヤーハーネス１００に用いられる電線１０１は、一般に、銅線やアルミニウム等の導体１０２の周囲が、樹脂皮膜等の絶縁体１０３により被覆されているものである。
【０００３】
上記ワイヤーハーネス１００の電線を束ねるためには、例えばテープ等の結束材１０４を用いて、電線１０１の周囲を巻まわしている（例えば特許文献１参照）。
【０００４】
またワイヤーハーネス１００を車両等の所定の位置に組み付ける場合、図１１（ａ）に示すように、クランプ１１０等の取り付け部材を使用してワイヤーハーネス１００を車両１１１に固定している（例えば特許文献２参照）。
【０００５】
またワイヤーハーネス１００は、図１１（ｂ）に示すように、ホットメルト接着剤１１２を使用して、車両１１１に接着して固定する場合もある。
【先行技術文献】
【特許文献】
【０００６】
【特許文献１】特開２００３−２１７３５７号公報
【特許文献２】特開平１０−２０１０５８号公報
【発明の概要】
【発明が解決しようとする課題】
【０００７】
従来、ワイヤーハーネス１００を製造する場合、製造工程では電線を束ねるために、テープ等の結束材（拘束部材ということもある）１０４が必要となる。また、ワイヤーハーネス製造工程では、テープ等を巻く作業が必要であり、作業に手間がかかるという問題があった。
【０００８】
また従来、ワイヤーハーネス１００を車両１１１に組み付ける工程では、クランプ１１０やホットメルト接着剤１１２等の、ワイヤーハーネス１００以外の取り付け部材が必要となる。また、クランプ１１０を使用する場合は、クランプ１１０の車両１１１等への取り付け作業が必要であり、取り付けに手間がかかるという問題があった。また、ホットメルト接着剤１１２を使用する場合は、ホットメルト接着剤を塗る作業が必要であり、作業に手間がかかり、ホットメルト接着剤塗布装置等が必要となるという問題があった。
【０００９】
本発明は、上記従来技術の問題点を解決しようとするものであり、電線をテープ巻等の結束材を使用せずに束ねることが可能であり、クランプ等の他の部材なしに車両等への取り付けが可能である絶縁電線及びワイヤーハーネスを提供することを目的とする。
【課題を解決するための手段】
【００１０】
上記課題を解決するために本発明の強磁性絶縁電線は、少なくとも絶縁体が強磁性体からなることを要旨とするものである。
【００１１】
上記強磁性絶縁電線において、前記強磁性体が、比透磁率（μｒ）が２以上の高透磁率材料を用いることができる。
【００１２】
上記強磁性絶縁電線において、前記強磁性体が、最大エネルギー積〔（ＢＨ）ｍａｘ〕が２ｋＪ／ｍ３以上の永久磁石を用いることができる。
【００１３】
上記強磁性絶縁電線は、前記絶縁体が、樹脂又はゴムからなるバインダー中に強磁性体の粉末が分散されているものを用いることができる。
【００１４】
本発明のワイヤーハーネスは、少なくとも絶縁体が、最大エネルギー積〔（ＢＨ）ｍａｘ〕が２ｋＪ／ｍ３以上の永久磁石からなる強磁性絶縁電線を用いて、複数本の強磁性絶縁電線が束ねられているものであることを要旨とするものである。
【００１５】
上記ワイヤーハーネスにおいて、少なくとも絶縁体が、比透磁率（μｒ）が２以上の高透磁率材料からなる強磁性絶縁電線を、前記永久磁石からなる強磁性絶縁電線と組み合わせて、複数本の強磁性絶縁電線が束ねられているものであるように構成することができる。
【発明の効果】
【００１６】
本発明の強磁性絶縁電線は、少なくとも絶縁体が強磁性体からなるので、強磁性体に永久磁石を用いた場合、磁石化した電線とすることができ、それ自体で複数の電線を束ねることができる。また強磁性体に高透磁率材料を用いた場合は、上記の磁石化した電線に吸引されるようにすることができる。
【００１７】
本発明のワイヤーハーネスは、少なくとも絶縁体が、最大エネルギー積〔（ＢＨ）ｍａｘ〕が２ｋＪ／ｍ３以上の永久磁石からなる強磁性絶縁電線を用いて、複数本の強磁性絶縁電線が束ねられているものであるから、強磁性絶縁電線どうしが吸引しあうことで自発的に束ねられた状態とすることができる。
【００１８】
本発明のワイヤーハーネスは、従来のワイヤーハーネスのように、テープや接着剤等の結束材や、ホットメルト接着剤塗布装置等が不要であり、部品点数を削減することができる。
【００１９】
更に本発明のワイヤーハーネスは、複数の強磁性絶縁電線どうしが吸引しあうので、結束材を用いて絶縁電線をひと纏めにする手間が省けるため、ハーネス組立工数を低減することができる。
【００２０】
更に本発明のワイヤーハーネスは、車両等に配索する場合、永久磁石化したワイヤーハーネスを車体等に直接接合して固定することができるので、接着剤やクランプ等の取り付け作業が不要となるので、ハーネス配索作業の工数を低減することができる。
【図面の簡単な説明】
【００２１】
【図１】本発明の強磁性絶縁電線の一例を示す断面図である。
【図２】本発明の強磁性絶縁電線の態様を示す断面図である。
【図３】（ａ）、（ｂ）は本発明の強磁性絶縁電線の態様を示す断面図である。
【図４】本発明のワイヤーハーネスの態様を示す断面図である。
【図５】本発明のワイヤーハーネスの態様を示す断面図である。
【図６】本発明のワイヤーハーネスの態様を示す断面図である。
【図７】本発明のワイヤーハーネスの態様を示す断面図である。
【図８】本発明のワイヤーハーネスの態様を示す断面図である。
【図９】本発明のワイヤーハーネスの使用例を示す断面図である。
【図１０】従来のワイヤーハーネスを示す断面図である。
【図１１】（ａ）、（ｂ）は従来のワイヤーハーネスの使用例を示す断面図である。
【発明を実施するための形態】
【００２２】
以下、本発明の実施例について図面を用いて詳細に説明する。図１は本発明の絶縁電線の一例を示す断面図である。図１に示す強磁性絶縁電線１は、導体２が、強磁性体からなる絶縁体３により被覆されているものである。
【００２３】
図１に示す強磁性絶縁電線１は、導体２が単線から構成されている。強磁性絶縁電線１は、導体２が複数の素線の集合体により構成されていてもよい。図２、は強磁性電線の他の態様を示す断面図である。図２の強磁性絶縁電線は、導体２が複数（７本）の素線２１から構成されている。上記素線の集合体は、単なる集合体、あるいは撚り線からなる集合体のいずれでもよい。
【００２４】
絶縁体３は、強磁性体として強い磁気作用を有する材料が用いられる。絶縁体３を構成する強磁性体の具体的な材料としては、絶縁性を有すると共に、それ自身同士や、他の強磁性体を吸い寄せることができる永久磁石、或いは永久磁石に吸い寄せられる高透磁率材料等を用いることができる。これらの材料としては、樹脂やゴム等のバインダー樹脂中に鉄、ニッケル、コバルト、又はこれらの金属を含む合金等の強磁性体の粉末（磁性粉末ということもある）を分散した所謂ボンド磁石、プラスチック磁石、ゴム磁石等が挙げられる。
【００２５】
絶縁体３の上記バインダー樹脂としては、例えば、ポリアミド樹脂、エポキシ樹脂、ＰＰＳ樹脂、合成ゴム、ポリエチレン、ポリプロピレン、ＥＶＡ、ＥＭＡ、ＥＥＡ、ポリエステルエラストマー、ポリウレタンエラストマー、ＰＥＴ、ＰＢＴ、ＰＶＣ、ＰＶＤＦ、ＰＶＤＣ、塩素化ポリエチレン、ポリオレフィンエラストマー、スチレン系エラストマー等が挙げられる。
【００２６】
絶縁体３に永久磁石を用いた強磁性絶縁電線１（磁石化した強磁性絶縁電線ということもある）は、その電線自体が磁石化するため、後述するワイヤーハーネスとして用いた場合に、他の高透磁率材料を絶縁体３として用いた絶縁電線を吸い寄せて一体化することができる。
【００２７】
絶縁体３の材料に用いられる上記永久磁石は、最大エネルギー積〔（ＢＨ）ｍａｘ〕が、２ｋＪ／ｍ３以上である高保持力材料が用いられる。更に好ましい絶縁体３の最大エネルギー積は３ｋＪ／ｍ３以上である。
【００２８】
このような最大エネルギー積が〔（ＢＨ）ｍａｘ〕が、２ｋＪ／ｍ３以上の高保持力材料としては、磁性粉末として、マルテンサイト鋼、Ｆｅ−Ｃｒ−Ｃｏ、アルニコ、ストロンチウムフェライト（ＳｒＯ・６Ｆｅ２Ｏ３）、バリウムフェライト（ＢａＯ・６Ｆｅ２Ｏ３）等のフェライト、サマリウムコバルト（Ｓｍ２Ｃｏ１７）等の希土類コバルト、ネオジウム鉄、サマリウム鉄窒素等の希土類鉄等が挙げられる。
【００２９】
絶縁体３として高透磁率材料を用いた強磁性絶縁電線１は、上記の磁石化した強磁性絶縁電線に吸引される。以下、高透磁率材料を用いた強磁性絶縁電線を、磁石に吸引される強磁性絶縁電線ということもある。磁石に吸引される強磁性絶縁電線の絶縁体３に用いられる高透磁率材料は、比透磁率（μｒ）が２以上である。更に好ましい絶縁体３の高透磁率材料は、比透磁率（μｒ）が１０以上である。尚、比透磁率μｒは、下記式（１）で表わされる、材料の透磁率μと真空の透磁率μ０との比である。
μｒ＝μ／μ０      ・・・（１）
【００３０】
このような比透磁率（μｒ）が２以上である導体２の高透磁率材料に用いられる磁性粉末としては、電磁軟鉄、Ｆｅ−Ｓｉ、Ｆｅ−Ａｌ、Ｆｅ−Ｃｏ−Ｖ、Ｆｅ−Ｓｉ−Ａｌ等の鉄及び鉄系合金、Ｆｅ−Ｎｉ、Ｆｅ−Ｎｉ−Ｍｎ、Ｆｅ−Ｎｉ−Ｍｏ、Ｆｅ−Ｎｉ−Ｃｒ−Ｃｕ、Ｆｅ−Ｎｉ−Ｎｂ等のパーマロイ系合金、Ｍｎ−Ｚｎ系、Ｎｉ−Ｚｎ系、Ｃｕ−Ｚｎ系等のフェライト化合物、Ｆｅ−Ｂ−Ｓｉ−Ｃ、Ｆｅ−Ｂ−Ｓｉ等のアモルファス化合物等が挙げられる。
【００３１】
上記態様の強磁性絶縁電線１は、絶縁体３に強磁性体を用い、導体２に非強磁性体を用いたものである。本発明の強磁性絶縁電線１は、導体２として強磁性体を用いて構成してもよい。
【００３２】
導体２に非強磁性体を用いる場合、導体２は、アルミニウム、銅、それらの合金等の一般に用いられる絶縁電線の導体を用いることができる。
【００３３】
導体２に強磁性体を用いる場合、導体２は、例えば最大エネルギー積〔（ＢＨ）ｍａｘ〕が、２ｋＪ／ｍ３以上である高保持力材料を用いることができる。上記高保持力材料は、絶縁体３において高保持力材料として例示した磁性体を用いることができる。
【００３４】
また導体２は、強磁性体として、比透磁率（μｒ）が２以上の高透磁率材料を用いることができる。上記高透磁率材料は、絶縁体３において比透磁率（μｒ）が２以上の高透磁率材料として例示した磁性体を用いることができる。
【００３５】
また導体２は、比抵抗が、１μΩｍ以下であることが好ましい。更に好ましい導体２の比抵抗は、０．５μΩｍ以下である。
【００３６】
図３（ａ）〜（ｂ）は本発明の強磁性絶縁電線の他の態様を示す断面図である。本発明の強磁性絶縁電線１は、図３（ａ）、（ｂ）に示すように、導体２と補助線材４を絶縁体３により被覆して構成してもよい。図３（ａ）に示すように、強磁性絶縁電線１は、補助線材４を導体２と並列に配置して、周囲を強磁性体からなる絶縁体３により被覆して構成することができる。
【００３７】
また図３（ｂ）に示すように、強磁性絶縁電線１は、補助線材４を導体２の中心に配置して、複数の導体２が該補助線材４の周囲を囲むように配置して、周囲を強磁性体からなる絶縁体３により被覆して構成してもよい。
【００３８】
上記補助線材４としては、例えば、ＳＵＳ線等からなる電線補強用のテンションメンバや、強磁性体を用いて電線に強磁性を付与するための強磁性線材等を用いることができる。このような補助線材４を用いて本発明の強磁性絶縁電線１を構成する場合、少なくとも絶縁体３が強磁性体により構成されていればよい。すなわち、強磁性絶縁電線１は、絶縁体３のみ、絶縁体３と導体２、絶縁体３と補助線材４、導体２と絶縁体３と補助線材４のいずれかの組み合わせで強磁性体から構成することができる。
【００３９】
補助線材４を強磁性体により構成する場合、補助線材４は、例えば比透磁率（μｒ）が２以上の高透磁率材料や、最大エネルギー積〔（ＢＨ）ｍａｘ〕が、２ｋＪ／ｍ３以上である永久磁石等を用いることができる。
【００４０】
補助線材４に高透磁率材料として、比透磁率（μｒ）が２以上の高透磁率材料や、最大エネルギー積〔（ＢＨ）ｍａｘ〕が、２ｋＪ／ｍ３以上である永久磁石を用いる場合、上記した絶縁体３で例示した磁性材料等が用いられる。尚、補助線材４は導体２や絶縁材３の材料とは異なり、導電性や絶縁性のない高透磁率材料、永久磁石等でも制限なく使用できる。
【００４１】
以下、本発明のワイヤーハーネスについて説明する。図４〜図９は、本発明のワイヤーハーネスの態様を示す断面図である。図４に示すワイヤーハーネス１０は、強磁性絶縁電線１１を２本組み合わせて、２本の絶縁電線が束ねられているものである。２本の強磁性電線１１、１１は、非強磁性体からなる導体２が、最大エネルギー積〔（ＢＨ）ｍａｘ〕が、２ｋＪ／ｍ３以上である永久磁石からなる絶縁体３ａで被覆されて磁石化している強磁性電線である。
【００４２】
図４に示すワイヤーハーネス１０は、強磁性絶縁電線１１、１１が磁石化しているから、互いが引き合い、束ねる際にテープ等の結束材を使用する必要がない。またワイヤーハーネス１０を作製する際に、テープ巻等の結束材を装着する作業も不要である。
【００４３】
図５に示すワイヤーハーネス１０は、２本の強磁性絶縁電線１１、１２から構成されている。一方の絶縁電線１１は、非強磁性体からなる導体２の周囲が、最大エネルギー積〔（ＢＨ）ｍａｘ〕２ｋＪ／ｍ３以上の絶縁体３aで被覆されて磁石化した強磁性絶縁電線１１である。他方の絶縁電線１２は、非強磁性体からなる導体２が比透磁率（μｒ）が２以上の絶縁体３ｂにより被覆されて、磁石に吸引される強磁性絶縁電線１２である。
【００４４】
図５に示すワイヤーハーネス１０は、磁石化した強磁性絶縁電線１１に、磁石に吸引される強磁性絶縁電線１２が磁化して吸引されるので、結束材を使用せずに、二本の強磁性絶縁電線１１、１２を束ねることができる。
【００４５】
図６に示すワイヤーハーネス１０は、上記の磁石化した強磁性絶縁電線１１を２本と、上記の磁石に吸引される強磁性絶縁電線１２を１本組み合わせて構成したものである。磁石化した強磁性絶縁電線１１は、非強磁性体からなる導体２の周囲が、最大エネルギー積〔（ＢＨ）ｍａｘ〕２ｋＪ／ｍ３以上の絶縁体３aで被覆されたものである。磁石に吸引される強磁性絶縁電線１２は、非強磁性体からなる導体２が比透磁率（μｒ）が２以上の絶縁体３ｂにより被覆されているものである。
【００４６】
図６に示すワイヤーハーネス１０は、磁石に吸引される強磁性絶縁電線１２が、２本の磁石化した強磁性絶縁電線１１に吸引されるので、結束材なしでも電線を束ねてワイヤーハーネスを構成することができる。
【００４７】
図７に示すワイヤーハーネス１０は、上記の磁石化した強磁性絶縁電線１１を２２本組み合わせて構成したものである。上記強磁性絶縁電線１１は、非強磁性体からなる導体２の周囲が最大エネルギー積〔（ＢＨ）ｍａｘ〕２ｋＪ／ｍ３以上の絶縁体３aで被覆されたものである。
【００４８】
図７に示すワイヤーハーネス１０は、磁石化した強磁性絶縁電線１１、１１・・・同士が磁力で引き合い、一体化している。このようにワイヤーハーネス１０は、結束材を使用することなく、複数の絶縁電線が束ねられている。本発明のワイヤーハーネス１０は、図７に示すように、磁石化した強磁性絶縁電線１１を３本以上組み合わせて構成してもよい。
【００４９】
図８に示すワイヤーハーネス１０は、上記の磁石化した強磁性絶縁電線１１を１０本と、上記の磁石に吸引される強磁性絶縁電線１２を１１本組み合わせて、合計２１本の強磁性絶縁電線により構成したものである。上記強磁性絶縁電線１１は、非強磁性体からなる導体２の周囲が最大エネルギー積〔（ＢＨ）ｍａｘ〕２ｋＪ／ｍ３以上の絶縁体３aで被覆されたものである。上記強磁性絶縁電線１２は、非強磁性体からなる導体２が比透磁率（μｒ）が２以上の絶縁体３ｂにより被覆されたものである。
【００５０】
図８に示すワイヤーハーネス１０は、磁石化した強磁性絶縁１１に磁石に吸引される強磁性絶縁電線１２が吸引されることにより、全体が一体化している。ワイヤーハーネス１０は、結束材なしで全体が束ねられている。本発明のワイヤーハーネス１０は、図８に示すように、２本以上の磁石化した強磁性電線１１と、２本以上の磁石に吸引される強磁性絶縁電線１２を組み合わせて構成してもよい。
【００５１】
図９は本発明のワイヤーハーネスの使用例を示す断面図である。図９に示すワイヤーハーネス１０は、最大エネルギー積が２ｋＪ／ｍ３以上の導体２ａを絶縁体で被覆した強磁性絶縁電線１１を２１本を束ねたものである。このワイヤーハーネス１０は、強磁性絶縁電線１１自体の磁力により束ねられているものである。図９に示すように、ワイヤーハーネス１０は、鉄板等により形成されている自動車の車体２０に、磁力により固定される。このようにワイヤーハーネス１０は、各強磁性絶縁電線１１自体の磁力により、車体２０に固定することができる。そのため従来のワイヤーハーネスのように、クランプ、ホットメルト接着剤、両面テープ等のワイヤーハーネスを固定するための固定部材が不要である。
【００５２】
この場合、ワイヤーハーネス１０は、図８に示すように磁石化した強磁性絶縁電線１１と磁石に吸引される強磁性絶縁電線１２を組み合わせたものを用いてもよい。また、車体２０等のワイヤーハーネスを固定するための所定の位置に、磁石を配置して貼り付けでおけば、その位置にワイヤーハーネス１０を固定することが容易である。
【００５３】
本発明のワイヤーハーネスは、自動車用ワイヤーハーネスとして好適に用いることができる。
【実施例】
【００５４】
以下、本発明の実施例、比較例を示す。本発明はこれら実施例に限定されるものではない。
【００５５】
実施例１
導体（銅線）の周囲をストロンチウムフェライトを練りこんだ塩素化ポリエチレンからなる絶縁体により被覆して絶縁電線を得た。この電線を２１本用いて図７に示すようにワイヤーハーネス１０を構成した。上記電線の最大エネルギー積〔（ＢＨ）ｍａｘ〕は３ｋＪ／ｍ３であった。このワイヤーハーネスは各電線の磁力により結束されていて、その電線結束性は良好であった。
【００５６】
比較例１
実施例１の電線の絶縁体をポリエチレンに変えた絶縁電線を準備した。上記絶縁電線の最大エネルギー積〔（ＢＨ）ｍａｘ〕は０．５ｋＪ／ｍ３未満であった。この電線を用いて実施例１と同様にしてワイヤーハーネスを構成しようとしたが、ワイヤーハーネスだけでは結束することができず、電線結束性は不良であった。
【符号の説明】
【００５７】
１  強磁性絶縁電線
２  導体
３  強磁性体からなる絶縁体
３ａ  最大エネルギー積〔（ＢＨ）ｍａｘ〕が２ｋＪ／ｍ３以上の絶縁体
３ｂ  比透磁率（μｒ）が２以上の絶縁体
１０  ワイヤーハーネス
１１  磁石化した強磁性絶縁電線
１２  磁石に吸引される強磁性絶縁電線
【図１】
2012234638.tif 000003
【図２】
2012234638.tif 000004
【図３】
2012234638.tif 000005
【図４】
2012234638.tif 000006
【図５】
2012234638.tif 000007
【図６】
2012234638.tif 000008
【図７】
2012234638.tif 000009
【図８】
2012234638.tif 000010
【図９】
2012234638.tif 000011
【図１０】
2012234638.tif 000012
【図１１】
2012234638.tif 000013